(57)【要約】【課題】嫌気槽の脱臭とリン酸イオンの流出防止を図る。【解決手段】嫌気処理槽１内の上部に、鉄、アルミニウム、マグネシウム等の金属よりなる接触材２，４が配置されている。水中から発生した硫黄化合物含有臭気ガス成分は、接触材２又は４と接触し、該接触材２又は４の表面の微生物によって酸化分解されて脱臭される。酸化分解によって生じた硫酸が金属と反応して硫酸塩となり、この硫酸塩を含んだ水分が水滴状となって嫌気槽１内の水中に落下ないし伝わり落ちて該水に添加される。これにより、硫酸塩と水中のリン酸イオンとが反応し、難溶性リン酸塩が生成する。この難溶性リン酸塩は嫌気槽１内に沈降する。【選択図】  図１
2005007241.tif 000002
【特許請求の範囲】
【請求項１】
槽内の水面よりも上位に接触材が配置され、該接触材表面における微生物の作用によって硫黄化合物を酸化して脱臭するようにした嫌気槽において、
該接触材は、硫酸に可溶であると共に、硫酸塩としてリン酸イオンと接触したときに難溶性リン酸塩を生成させる金属又はその化合物を含むことを特徴とする嫌気槽。
【請求項２】
請求項１において、該金属は、鉄、アルミニウム及びマグネシウムの少なくとも１種であることを特徴とする嫌気槽。
【請求項３】
請求項１又は２において、該接触材は多孔状であることを特徴とする嫌気槽。
【請求項４】
請求項１ないし３のいずれか１項において、槽内に接触材の支持体が設置されており、
該支持体の上側に接触材が積載されていることを特徴とする嫌気槽。
【請求項５】
請求項１ないし４のいずれか１項において、接触材の一部が槽内の水に接していることを特徴とする嫌気槽。
【発明の詳細な説明】
【０００１】
【発明の属する技術分野】
本発明は、嫌気槽に係り、特に脱臭手段及び可溶性リンの流出防止手段を備えた嫌気槽に関する。
【０００２】
【従来の技術】
Ｉ．嫌気槽から発生する硫化水素、硫化メチル等の硫黄化合物（特に硫化物）を微生物の作用によって酸化して脱臭するようにした嫌気槽が特許第３３１３０２７号に記載されている。
【０００３】
同号では、槽の上部に網状体を水平に張設し、この網状体の上にポリウレタンフォームよりなる多孔質担体を積載している。この多孔質担体に硫黄酸化細菌等の微生物が担持されており、汚水から生じる悪臭ガス成分が微生物によって分解され、無臭化される。
【０００４】
ＩＩ．嫌気槽からのリン酸イオンの流出を防止するために、嫌気槽内の水に接触するように金属鉄を配置することが特開平６−１４２６８７号に記載されている。この金属鉄から溶出した鉄イオンが水中のリン酸イオンと反応して難溶性リン酸鉄塩が生成し、これにより嫌気槽からのリン酸イオンの流出が防止される。
【０００５】
【特許文献１】
特許第３３１３０２７号
【特許文献２】
特開平６−１４２６８７号
【０００６】
【発明が解決しようとする課題】
本発明は、臭気成分の分解とリン酸イオンの流出防止とを行うことができる手段を備えた嫌気槽を提供することを目的とする。
【０００７】
【課題を解決するための手段】
本発明の嫌気槽は、槽内の水面よりも上位に接触材が配置され、該接触材表面における微生物の作用によって硫黄化合物を酸化して脱臭するようにした嫌気槽において、該接触材は、硫酸に可溶であると共に、硫酸塩としてリン酸イオンと接触したときに難溶性リン酸塩を生成させる金属又はその化合物を含むことを特徴とするものである。
【０００８】
かかる嫌気槽にあっては、発生した硫化水素等の硫黄化合物を含んだ臭気成分が接触材に接触すると、該接触材表面の微生物によって酸化分解されて脱臭される。この硫黄化合物の酸化により硫酸が生成する。生成した硫酸は、接触を構成する金属を溶解させるか、又は金属化合物と反応してこの金属の硫酸塩が生成する。この硫酸塩を含んだ水滴が落下して嫌気槽内の水に該硫酸塩が添加され、水中のリン酸イオンと反応して難溶性リン酸塩が生成する。これにより、嫌気槽からのリン酸イオンの流出が防止される。
【０００９】
上記の金属としては、鉄、アルミニウム、マグネシウム等が例示される。接触材はその全体が嫌気槽内の水面よりも上方に配置されてもよいが、下部が嫌気槽内の水に浸るように配置されてもよい。後者のように構成すると、嫌気槽が湿潤し、微生物が繁殖し易くなる。
【００１０】
接触材は、上記の金属又はその化合物のみから成ってもよく、樹脂をバインダーとして固めたもの等の複合材であってもよい。
【００１１】
【発明の実施の形態】
以下、図面を参照して実施の形態について説明する。
【００１２】
図１（ａ），（ｂ），（ｃ）は本発明の実施の形態に係る嫌気槽の概略的な縦断面図である。なお、この実施の形態では嫌気槽は嫌気処理槽である。
【００１３】
図１（ａ）では、嫌気処理槽１に汚水が流入管１ａを介して流入し、内部で嫌気処理され、処理水が流出管１ｂを介して流出する。嫌気処理槽１内には、この流出管１ｂのレベルにまで水が溜まっている。
【００１４】
この嫌気処理槽１内の水面ＷＬよりも上方の気相部分に接触材２が配置されている。この接触材２は鉄、アルミニウム、マグネシウムが好適であるが、これらの１種又は２種以上を含む合金であってもよい。
【００１５】
金属よりなる接触材２は、例えば、ワイヤ状、紐状、リボン状、棒状、板状、あるいは塊状とされて嫌気槽１の天井から吊り下げられてもよく、梁の如く横断するように設けられてもよい。また、塊状、粒状、ワイヤ状あるいは短棒状の金属を合成樹脂のネットに入れて天井から吊り下げてもよい。
【００１６】
金属板や金属棒を格子状あるいはジャングルジム状に組み合わせて嫌気槽１の上部に設置してもよい。
【００１７】
金属は多孔質であってもよく、非多孔質であってもよい。多孔質とすれば、微生物の担持量が増え、脱臭効果が向上する。
【００１８】
図１（ｂ）では、嫌気槽１内の水面位ＷＬよりも上方にネットやメッシュ、パンチングプレート等の孔明き板、格子等よりなる通気性の支持体３を略水平に設け、この支持体３の上に接触材４を積載している。この接触材４は、好ましくは鉄、アルミニウム、マグネシウム等の金属よりなる。この接触材４は、塊状、粒状、棒状、板状、ワイヤ状、紐状、リボン状などの形態とされることが好ましい。接触材４は多孔質であってもよく、非多孔質であってもよい。
【００１９】
図１（ｂ）では支持体３を水面位ＷＬよりも上方に配置しているが、図１（ｃ）では支持体３を水面位ＷＬよりも若干下位とし、該支持体３上の接触材４の積載層の下部が水に浸るようになっている。これにより、接触材４の全体に湿気が十分に行き渡り、接触材４の表面が十分に湿潤したものとなり、微生物が繁殖し易くなる。
【００２０】
図１（ａ）〜（ｃ）のいずれにおいても、水中から発生した硫黄化合物含有臭気ガス成分は、接触材２又は４と接触し、該接触材２又は４の表面の微生物によって酸化分解されて脱臭される。酸化分解によって生じた硫酸が金属と反応して硫酸塩となり、この硫酸塩を含んだ水分が水滴状となって嫌気槽１内の水中に落下ないし伝わり落ちて該水に添加される。これにより、硫酸塩と水中のリン酸イオンとが反応し、難溶性リン酸塩が生成する。この難溶性リン酸塩は嫌気槽１内に沈降する。このようにして、脱臭処理とリン酸イオンの除去処理とが行われる。また、槽がコンクリート製の場合、硫酸によってコンクリートが侵食されることが防止される。なお、図１（ｂ），（ｃ）の場合、接触材が消耗してきたときに上から補充することができる。
【００２１】
上記実施の形態は本発明の一例であり、本発明は図示以外の形態をもとりうる。例えば、図１（ａ）においても、接触材２の下部を水中に浸漬させてもよい。また、図１（ｃ）では支持体３を傾斜させ、例えば支持体３の左半側のみが水中に浸り右半側は水面上方に位置するようにしてもよい。支持体３を傾斜させる代りに、支持体３の一部に有底筒状の下方延出部を設け、この下方延出部の下部を水中に浸漬させてもよい。
【００２２】
【発明の効果】
以上の通り、本発明によると、嫌気槽の脱臭とリン酸イオンの流出防止を図ることができる。
【図面の簡単な説明】
【図１】実施の形態に係る嫌気槽の概略的な縦断面図である。
【符号の説明】
１  嫌気処理層
２，４  接触材
３  支持体
【図１】
2005007241.tif 000003